(57)【要約】      （修正有）【課題】商用電源からの給電を入り／切りする電源リレーの動作によるヒューズ抵抗の溶断を抑制できる洗濯機を提供する。【解決手段】衣類を収容する洗濯槽と、この洗濯槽を内包する外槽と、これらを取り付ける外枠と、この外枠に取り付けられた操作部と、洗濯機能を有効とする負荷の制御基板を備えた洗濯機において、制御基板への商用電源からの電力の供給を行う２つの電源リレー２２、２３をマイコン２１からの１つの制御信号により制御し、片方の電源リレー２３とマイコン２１間にリレー接点の動作の調整回路２４を設けた構成により、電源リレー２２、２３の動作タイミングをずらして動作させるので、同時オンによる突入電流を防止できる。【選択図】図３
2017131468.tif 000002
【特許請求の範囲】
【請求項１】
衣類を収容する洗濯槽と、
この洗濯槽を内包する外槽と、
電源の入り切りを操作する電源スイッチと、
商用電源と制御基板を接続する第１の電源リレー及び第２の電源リレーと、
前記電源スイッチの操作に従い、電源リレー接点の開閉を制御する制御部と、
前記制御部からの１つの制御信号により前記第１の電源リレー及び第２の電源リレーを制御し、前記第１の電源リレーの動作を前記第２の電源リレーの動作に対しタイミングをずらすリレー動作調整部と、を備えることを特徴とする洗濯機。
【請求項２】
請求項１に記載の洗濯機であって、
前記リレー動作調整部は、抵抗とコンデンサを備えることを特徴とする洗濯機。
【請求項３】
請求項１に記載の洗濯機であって、
前記リレー動作調整部と前記第２の電源リレーのリレーコイルとの間に、比較器を備えることを特徴とする洗濯機。
【発明の詳細な説明】
【技術分野】
【０００１】
本発明は、洗濯機に係り、電源リレーの制御方法に関するものである。
【背景技術】
【０００２】
洗濯機等の制御基板においては、汎用リレーにて商用電源との接続を行っており、前記汎用リレーの接点の開閉を制御することにより、商用電源から洗濯機への電源供給を入り/切りしているのが一般である（例えば、特開２００６-１９７７３８号公報）。
【先行技術文献】
【特許文献】
【０００３】
【特許文献１】特開２００６-１９７７３８号公報
【発明の概要】
【発明が解決しようとする課題】
【０００４】
上述した従来の方式では、商用電源からの給電を入り/切りする2つの汎用リレーの動作はマイコンから各々の汎用リレーへの制御信号により決まる。
【０００５】
そのため洗濯機の工程動作中に何らかの要因によりヒューズ抵抗と並列に接続されている側の汎用リレーに接点開となる制御信号が入力されてしまった場合、ヒューズ抵抗を介して負荷電流が流れてしまい、ヒューズ抵抗が溶断する場合があった。
【０００６】
本発明の目的は、ヒューズ抵抗の溶断を簡易な構成で抑制し、使い勝手の良い洗濯機を提供することである。
【課題を解決するための手段】
【０００７】
衣類を収容する洗濯槽と、この洗濯槽を内包する外槽と、電源の入り切りを操作する電源スイッチと、商用電源と制御基板を接続する第１の電源リレー及び第２の電源リレーと、前記電源スイッチの操作に従い、電源リレー接点の開閉を制御する制御部と、前記制御部からの１つの制御信号により前記第１の電源リレー及び第２の電源リレーを制御し、前記第１の電源リレーの動作を前記第２の電源リレーの動作に対しタイミングをずらすリレー動作調整部と、を備える。
【発明の効果】
【０００８】
本発明によれば、ヒューズ抵抗の溶断を簡易な構成で抑制し、使い勝手の良い洗濯機を提供することができる。
【図面の簡単な説明】
【０００９】
【図１】本発明の実施例に係る全自動洗濯機の縦断側面図である。
【図２】本発明の実施例に係る全自動洗濯機の操作パネルを拡大した図である。
【図３】本発明の実施例に係る制御システムのブロック図である。
【図４】本発明の実施例１に係るリレー接点保持回路の回路図である。
【図５】本発明の実施例２に係るリレー接点保持回路の回路図である。
【発明を実施するための形態】
【００１０】
以下、本発明の実施例について、図面を用いて説明する。
【実施例１】
【００１１】
本発明の実施例１の電気洗濯機の図面を参照して説明する。図１は、この実施例の電気洗濯機の縦断側面図であり、図２は、その制御装置の電気回路図である。
【００１２】
電気洗濯機の外枠１の内部に複数のサスペンション２で支持して外槽３を設置し、この外槽３内に洗濯兼脱水槽である洗濯槽４を回転可能に設置し、この洗濯槽４内の底部に撹拌翼５を回転可能に設置する。洗濯槽４と撹拌翼５は、外槽３を貫通させた同心２重軸の内端に結合して設置し、外槽３の外側に取り付けた主駆動装置６のモータによって回転するように構成する。
【００１３】
主駆動装置６は、図示説明は省略するが、直流ブラシレスモータとクラッチ機構と減速歯車機構を内蔵し、洗濯および乾燥工程では洗濯槽４を静止させた状態で撹拌翼５を緩速回転駆動し、脱水工程では洗濯槽４と撹拌翼５を一体的に高速回転駆動する駆動系を形成ように構成する。
【００１４】
外枠１の上端には衣類投入口７ａを有するトップカバー７を固着し、衣類投入口７ａは外蓋８によって開閉可能に覆う。このトップカバー７内の前部には指示入力スイッチ群および表示素子群を備えた操作基板９や制御基板１０や水位センサ１１を収納し、後部には給水電磁弁１２や風呂水給水ポンプ（図示省略）を収納する。
【００１５】
外槽３の下部に設けたエアトラップ３ａはエアチューブ１３を介して前記水位センサ１１に接続し、排水口３ｂは排水電磁弁１４を介して排水ホース１５に接続する。また、乾燥機能付きの電気洗濯機とするときには、外槽３の底部側壁に排気口を形成し、外槽内の空気を空気循環ファンによって吸い出して冷却除湿した後に加熱して洗濯槽４の上方から該洗濯槽４内に吹き込む乾燥空気循環系（図示省略）を構成する。尚、本実施例では、全自動洗濯機について述べるが、当然ながら乾燥機能の付いたものであっても良い。
【００１６】
この操作基板９は、図２、３に示す通り、電源スイッチ１６、操作スイッチ１７、及び表示部１８等を備えている。ここで、操作スイッチ１７は、念入りコースや毛布コース等の運転内容を適宜選択するためのボタンと、洗い時間やすすぎ回数などを適宜変更するためのボタンである。また電源スイッチ１６は洗濯機の制御基板１０へ電力の供給を開始するためのボタンである。
【００１７】
制御基板１０は、電源スイッチ１６を押下されることにより、電源スイッチ１６とヒューズ抵抗１９を介して商用電源と接続され、内部電源回路１７が給電を開始する。内部電源回路２０が給電を開始すると、マイクロコンピュータ２２が動作を開始し、電源リレー２２の接点が閉じた状態となり、電源スイッチ１６を介さずとも商用電源との接続が継続される。その後、電源リレー２３を閉じ、ヒューズ抵抗１９を介さずに商用電源と接続する。
【００１８】
洗濯機の工程終了後や動作の途中で外部から電源スイッチ１６を操作された場合は、電源切り処理の中で電源リレーの接点を開くよう制御する。また停電などによりコンセントからの電力供給が途絶えた場合も同様に電源切り処理を実施する。
【００１９】
マイクロコンピュータ２１と1つの電源リレー２２とヒューズ抵抗１９と並列に配線される電源リレー２３はマイクロコンピュータ２１の1つの出力端子と配線され、マイクロコンピュータ２１と電源リレー２３との間にはリレー動作調整回路２４を配置する。リレー動作調整回路２４は、図４に示す通りに抵抗２５とコンデンサ２６で構成する。電源スイッチ１６の操作によりマイクロコンピュータ２１が動作を開始し、マイクロコンピュータ２１は電源リレー２２と電源リレー２３を閉じるため制御信号を出力するが、リレー動作調整回路２４により電源リレー２３のコイルに印加される電圧は電源リレー２２のコイルに印加される電圧に対し抵抗２５を介してコンデンサ２６に充電された電圧により決まるため、コンデンサ２６への充電時間の分だけ遅れて印加される。
【００２０】
そのため、マイクロコンピュータ２１からの制御信号で電源リレー２２と電源リレー２３が同時にオンすることはなく、ヒューズ抵抗を介して充電することができ、突入電流を防止する。
【実施例２】
【００２１】
実施例２において、図６に示すようにリレー動作調整回路２４とリレーコイル間に比較器２７を配置する。
【００２２】
比較記２７はコンデンサ２６の電圧と基準電圧を比較し、コンデンサ２６の電圧が基準電圧よりも高くなった場合に出力を反転するように構成する。
【００２３】
このようにすることで、リレー動作調整回路２４の抵抗２５とコンデンサ２６により決まる遅れ時間を比較器の基準電圧と合わせて調整可能であり、遅れ時間の調整が容易になる。
【符号の説明】
【００２４】
１  外枠、２  サスペンション、３  外槽、３ａ  エアトラップ、３ｂ  排水口、４  洗濯槽、５  撹拌翼、６  主駆動装置、７  トップカバー、７ａ  衣類投入口、８  外蓋、９  操作基板、１０  制御基板、１１  水位センサ、  １２  給水電磁弁、  １３  エアチューブ、１４  排水電磁弁、１５  排水ホース、１６  電源スイッチ、  １７  操作スイッチ、  １８  表示部、  １９  ヒューズ抵抗、  ２０  内部電源回路、  ２１  マイクロコンピュータ、２２  電源リレー１、２３  電源リレー２、２４  リレー動作調整回路、２５  抵抗、２６  コンデンサ、２７  比較器
【図１】
2017131468.tif 000003
【図２】
2017131468.tif 000004
【図３】
2017131468.tif 000005
【図４】
2017131468.tif 000006
【図５】
2017131468.tif 000007